(57)【要約】【課題】バーナーユニットの下方のスペースに燃料カートリッジを配置する形式の携帯用コンロ装置であって、燃料カートリッジの燃料取り出し口を下向きにした状態で燃料カートリッジを支持することを可能にする携帯用コンロ装置を提供する。【解決手段】携帯用コンロ装置１００は、バーナーユニット３００と、バーナーユニットを支持する４個の脚部４００と、から構成される。４脚部４００のうち相互に隣接する２個の脚部の各々には、燃料カートリッジ５００の底面の周縁に形成されている突出部５０１に係合し、燃料カートリッジの落下を防止する係合部が形成されている。携帯用コンロ装置は水平面内において回動可能な可動レバー６２０を備えており、可動レバー６２０は、可動レバー６２０が燃料カートリッジの突出部に係合する第一位置と、燃料カートリッジの突出部に係合しない第二位置との間を回動する。【選択図】図１
2008209050.tif 000002
【特許請求の範囲】
【請求項１】
バーナーユニットと、前記バーナーユニットを支持する少なくとも３個の脚部と、から構成され、前記バーナーユニットの下方において、燃料カートリッジの燃料取り出し口を下向きにした状態で前記燃料カートリッジを支持する形式の携帯用コンロ装置であって、
前記脚部のうち相互に隣接する２個の脚部の各々には、前記燃料カートリッジの底面の周縁に形成されている突出部に係合し、前記燃料カートリッジの落下を防止する係合部が形成されており、
前記携帯用コンロ装置は水平面内において回動可能な可動レバーを備えており、
前記可動レバーは前記燃料カートリッジの前記突出部に係合し、前記燃料カートリッジの落下を防止する可動係合部を先端に備えており、
前記可動レバーの回動中心と前記燃料カートリッジの中心とは相互に偏心しており、
前記可動レバーは、前記可動係合部が前記燃料カートリッジの前記突出部に係合する第一位置と、前記可動係合部が前記燃料カートリッジの前記突出部に係合しない第二位置との間を回動可能であり、
前記可動レバーは、前記可動係合部が、前記携帯用コンロ装置の中心に関して、前記２個の脚部とは反対側に位置するように、配置されている携帯用コンロ装置。
【請求項２】
バーナーユニットと、前記バーナーユニットを支持する少なくとも３個の脚部と、から構成され、前記バーナーユニットの下方において、燃料カートリッジの燃料取り出し口を下向きにした状態で前記燃料カートリッジを支持する形式の携帯用コンロ装置であって、
前記脚部のうち相互に隣接する２個の脚部の各々には、前記燃料カートリッジの底面の周縁に形成されている突出部に係合し、前記突出部の落下を防止する係合部が形成されており、
前記携帯用コンロ装置は鉛直面内において回動可能な可動レバーを備えており、
前記可動レバーは前記燃料カートリッジの前記突出部に係合し、前記突出部の落下を防止する可動係合部を先端に備えており、
前記可動レバーは、前記可動係合部が前記燃料カートリッジの前記突出部に係合する第一位置と、前記可動係合部が前記燃料カートリッジの前記突出部に係合しない第二位置との間を回動可能であり、
前記可動レバーは、前記可動係合部が、前記携帯用コンロ装置の中心に関して、前記２個の脚部とは反対側に位置するように、配置されている携帯用コンロ装置。
【請求項３】
バーナーユニットと、前記バーナーユニットを支持する少なくとも３個の脚部と、から構成され、前記バーナーユニットの下方において、燃料カートリッジの燃料取り出し口を下向きにした状態で前記燃料カートリッジを支持する形式の携帯用コンロ装置であって、
前記脚部のうち相互に隣接する２個の脚部に渡って延び、前記燃料カートリッジの底面の周縁に形成されている突出部に係合し、前記突出部を支持するＵ字型断面を有する係合部材が配置されており、
前記携帯用コンロ装置は水平面内において回動可能な可動レバーを備えており、
前記可動レバーは前記燃料カートリッジの前記突出部に係合し、前記燃料カートリッジの落下を防止する可動係合部を先端に備えており、
前記可動レバーの回動中心と前記燃料カートリッジの中心とは相互に偏心しており、
前記可動レバーは、前記可動係合部が前記燃料カートリッジの前記突出部に係合する第一位置と、前記可動係合部が前記燃料カートリッジの前記突出部に係合しない第二位置との間を回動可能であり、
前記可動レバーは、前記可動係合部が、前記携帯用コンロ装置の中心に関して、前記係合部材とは反対側に位置するように、配置されている携帯用コンロ装置。
【請求項４】
バーナーユニットと、前記バーナーユニットを支持する少なくとも３個の脚部と、から構成され、前記バーナーユニットの下方において、燃料カートリッジの燃料取り出し口を下向きにした状態で前記燃料カートリッジを支持する形式の携帯用コンロ装置であって、
前記脚部のうち相互に隣接する２個の脚部に渡って延び、前記燃料カートリッジの底面の周縁に形成されている突出部に係合し、前記突出部を支持するＵ字型断面を有する係合部材が配置されており、
前記携帯用コンロ装置は鉛直面内において回動可能な可動レバーを備えており、
前記可動レバーは前記燃料カートリッジの前記突出部に係合し、前記突出部の落下を防止する可動係合部を先端に備えており、
前記可動レバーは、前記可動係合部が前記燃料カートリッジの前記突出部に係合する第一位置と、前記可動係合部が前記燃料カートリッジの前記突出部に係合しない第二位置との間を回動可能であり、
前記可動レバーは、前記可動係合部が、前記携帯用コンロ装置の中心に関して、前記係合部材とは反対側に位置するように、配置されている携帯用コンロ装置。
【請求項５】
前記可動レバーを前記第一位置の方向に付勢する付勢部材を備えることを特徴とする請求項１乃至４の何れか一項に記載の携帯用コンロ装置。
【発明の詳細な説明】
【技術分野】
【０００１】
本発明は携帯用コンロ装置に関し、特に、携帯用コンロ装置に使用される燃料カートリッジの支持構造に関する。
【背景技術】
【０００２】
携帯用コンロ装置は、携帯用コンロ装置とは別体の燃料カートリッジから燃料を供給される。
【０００３】
燃料カートリッジを配置する方式として二つの方式がある。
【０００４】
第一の方式は、燃料カートリッジを携帯用コンロ装置とは隔置し、双方を燃料ホースで連結し、この燃料ホースを介して燃料カートリッジから携帯用コンロ装置へ燃料を供給する方式である。
【０００５】
第二の方式は、燃料カートリッジを携帯用コンロ装置の内部の空いているスペース、一般的には、バーナーユニットの下方のスペースに配置する方式である。
【０００６】
第二の方式によれば、燃料カートリッジと携帯用コンロ装置とを最小のスペースに配置することが可能になる。
【０００７】
この第二の方式を採用した携帯用コンロ装置の一例として特開２０００−２４０９４５号公報に記載された携帯用コンロ装置がある。
【特許文献１】特開２０００−２４０９４５号公報（図４及び図５）
【発明の開示】
【発明が解決しようとする課題】
【０００８】
同公報に記載された携帯用コンロ装置においては、燃料として、空気よりも軽い可燃性ガスを使用している。このため、燃料が充填されている燃料カートリッジは燃料取り出し口を上向きにした状態で支持されている。
【０００９】
近年では、燃焼効率及び燃焼可能時間を向上させるため、携帯用コンロ装置の燃料として液体（例えば、ガソリン、軽油、石油など）が多用されている。
【００１０】
携帯用コンロ装置の燃料として液体燃料を用いる場合、液体燃料は空気よりも重いため、液体燃料が充填されている燃料カートリッジは、燃料取り出し口を下向きにした状態で支持することが必要となる。
【００１１】
このため、携帯用コンロ装置の燃料として液体燃料を用いる場合には、上記公報に記載された携帯用コンロ装置のような燃料カートリッジの支持構造は採用することができない。
【００１２】
本発明は、従来の携帯用コンロ装置における上記のような問題点に鑑みてなされたものであり、バーナーユニットの下方のスペースに燃料カートリッジを配置する形式の携帯用コンロ装置であって、燃料カートリッジの燃料取り出し口を下向きにした状態で燃料カートリッジを支持することを可能にする携帯用コンロ装置を提供することを目的とする。
【課題を解決するための手段】
【００１３】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１４】
上記の目的を達成するため、本発明は、バーナーユニット（３００）と、前記バーナーユニット（３００）を支持する少なくとも３個の脚部（４００）と、から構成され、前記バーナーユニット（３００）の下方において、燃料カートリッジ（５００）の燃料取り出し口（５１０）を下向きにした状態で前記燃料カートリッジ（５００）を支持する形式の携帯用コンロ装置（１００）であって、前記脚部（４００）のうち相互に隣接する２個の脚部（４００）の各々には、前記燃料カートリッジ（５００）の底面の周縁に形成されている突出部（５０１）に係合し、前記燃料カートリッジ（５００）の落下を防止する係合部（６３０）が形成されており、前記携帯用コンロ装置（１００）は水平面内において回動可能な可動レバー（６２０）を備えており、前記可動レバー（６２０）は前記燃料カートリッジ（５００）の前記突出部（５０１）に係合し、前記燃料カートリッジ（５００）の落下を防止する可動係合部（６２１）を先端に備えており、前記可動レバー（６２０）の回動中心（６２４）と前記燃料カートリッジ（５００）の中心（５０２）とは相互に偏心しており、前記可動レバー（６２０）は、前記可動係合部（６２１）が前記燃料カートリッジ（５００）の前記突出部（５０１）に係合する第一位置と、前記可動係合部（６２１）が前記燃料カートリッジ（５００）の前記突出部（５０１）に係合しない第二位置との間を回動可能であり、前記可動レバー（６２０）は、前記可動係合部（６２１）が、前記携帯用コンロ装置（１００）の中心に関して、前記２個の脚部（４００）とは反対側に位置するように、配置されている携帯用コンロ装置（１００）を提供する。
【００１５】
さらに、本発明は、バーナーユニット（３００）と、前記バーナーユニット（３００）を支持する少なくとも３個の脚部（４００）と、から構成され、前記バーナーユニット（３００）の下方において、燃料カートリッジ（５００）の燃料取り出し口（５１０）を下向きにした状態で前記燃料カートリッジ（５００）を支持する形式の携帯用コンロ装置（２００）であって、前記脚部（４００）のうち相互に隣接する２個の脚部（４００）の各々には、前記燃料カートリッジ（５００）の底面の周縁に形成されている突出部（５０１）に係合し、前記突出部（５０１）の落下を防止する係合部（６３０）が形成されており、前記携帯用コンロ装置（１００）は鉛直面内において回動可能な可動レバー（２１０）を備えており、前記可動レバー（２１０）は前記燃料カートリッジ（５００）の前記突出部（５０１）に係合し、前記突出部（５０１）の落下を防止する可動係合部（２１４）を先端に備えており、前記可動レバー（２１０）は、前記可動係合部（２１４）が前記燃料カートリッジ（５００）の前記突出部（５０１）に係合する第一位置と、前記可動係合部（２１４）が前記燃料カートリッジ（５００）の前記突出部（５０１）に係合しない第二位置との間を回動可能であり、前記可動レバー（２１０）は、前記可動係合部（２１４）が、前記携帯用コンロ装置（２００）の中心に関して、前記２個の脚部（４００）とは反対側に位置するように、配置されている携帯用コンロ装置（２００）を提供する。
【００１６】
さらに、本発明は、バーナーユニット（３００）と、前記バーナーユニット（３００）を支持する少なくとも３個の脚部（４００）と、から構成され、前記バーナーユニット（３００）の下方において、燃料カートリッジ（５００）の燃料取り出し口（５１０）を下向きにした状態で前記燃料カートリッジ（５００）を支持する形式の携帯用コンロ装置（８００）であって、前記脚部（４００）のうち相互に隣接する２個の脚部（４００）に渡って延び、前記燃料カートリッジ（５００）の底面の周縁に形成されている突出部（５０１）に係合し、前記突出部（５０１）を支持するＵ字型断面を有する係合部材（７００）が配置されており、前記携帯用コンロ装置（８００）は水平面内において回動可能な可動レバー（６２０）を備えており、前記可動レバー（６２０）は前記燃料カートリッジ（５００）の前記突出部（５０１）に係合し、前記燃料カートリッジ（５００）の落下を防止する可動係合部（６２１）を先端に備えており、前記可動レバー（６２０）の回動中心（６２４）と前記燃料カートリッジ（５００）の中心（５０２）とは相互に偏心しており、前記可動レバー（６２０）は、前記可動係合部（６２１）が前記燃料カートリッジ（５００）の前記突出部（５０１）に係合する第一位置と、前記可動係合部（６２１）が前記燃料カートリッジ（５００）の前記突出部（５０１）に係合しない第二位置との間を回動可能であり、前記可動レバー（６２０）は、前記可動係合部（６２１）が、前記携帯用コンロ装置（１００）の中心に関して、前記係合部材（７００）とは反対側に位置するように、配置されている携帯用コンロ装置（８００）を提供する。
【００１７】
さらに、本発明は、バーナーユニット（３００）と、前記バーナーユニット（３００）を支持する少なくとも３個の脚部（４００）と、から構成され、前記バーナーユニット（３００）の下方において、燃料カートリッジ（５００）の燃料取り出し口（５１０）を下向きにした状態で前記燃料カートリッジ（５００）を支持する形式の携帯用コンロ装置（８００）であって、前記脚部（４００）のうち相互に隣接する２個の脚部（４００）に渡って延び、前記燃料カートリッジ（５００）の底面の周縁に形成されている突出部（５０１）に係合し、前記突出部（５０１）を支持するＵ字型断面を有する係合部材（７００）が配置されており、前記携帯用コンロ装置（８００）は鉛直面内において回動可能な可動レバー（２１０）を備えており、前記可動レバー（２１０）は前記燃料カートリッジ（５００）の前記突出部（５０１）に係合し、前記突出部（５０１）の落下を防止する可動係合部（２１４）を先端に備えており、前記可動レバー（２１０）は、前記可動係合部（２１４）が前記燃料カートリッジ（５００）の前記突出部（５０１）に係合する第一位置と、前記可動係合部（２１４）が前記燃料カートリッジ（５００）の前記突出部（５０１）に係合しない第二位置との間を回動可能であり、前記可動レバー（２１０）は、前記可動係合部（２１４）が、前記携帯用コンロ装置（２００）の中心に関して、前記係合部材（７００）とは反対側に位置するように、配置されている携帯用コンロ装置（８００）を提供する。
【００１８】
本発明に係る携帯用コンロ装置（１００、２００、８００）は、前記可動レバー（６２０、２１０）を前記第一位置の方向に付勢する付勢部材（６２３、２１２）を備えることが好ましい。
【発明の効果】
【００１９】
本発明に係る携帯用コンロ装置によれば、バーナーユニットの下方のスペースに燃料カートリッジを配置する形式の携帯用コンロ装置において、燃料カートリッジの燃料取り出し口を下向きにした状態で燃料カートリッジを支持することが可能である。
【００２０】
さらに、燃料カートリッジの取り付け及び取り外しは可動レバーを回動させることによってのみ行うことができるため、容易に燃料カートリッジを新しい燃料カートリッジに交換することができる。
【発明を実施するための最良の形態】
【００２１】
（第一の実施形態）
図１は、本発明の第一の実施形態に係る携帯用コンロ装置１００の一部破断図を含む斜視図である。
【００２２】
図１に示すように、本実施形態に係る携帯用コンロ装置１００は、バーナーユニット３００と、バーナーユニット３００を支持する４個の脚部４００と、を備えている。
【００２３】
また、図１に示すように、本実施形態に係る携帯用コンロ装置１００においては、プロパン、ブタンその他の液体状の液化石油燃料（ＬＰＧ）が充填されている燃料カートリッジ５００は、バーナーユニット３００の下方に形成され、４個の脚部４００に囲まれているスペース内において、後述する燃料カートリッジ支持構造によって、燃料取り出し口を下向きにした状態で支持されている。
【００２４】
燃料カートリッジ５００は携帯用コンロ装置１００から取り外すことが可能であり、液化石油燃料（ＬＰＧ）がなくなったときには、携帯用コンロ装置１００から燃料カートリッジ５００を取り外し、新しい燃料カートリッジ５００に交換することができる。バーナーユニット３００は燃料カートリッジ５００から供給される燃料としての液化石油燃料（ＬＰＧ）を燃焼させる。
【００２５】
なお、燃料カートリッジ５００の底面（図１においては燃料カートリッジ５００の上側の面）の周縁には突出部５０１が形成されている。この突出部５０１は、例えば、燃料カートリッジ５００の底面を形成する薄板を燃料カートリッジ５００の側壁に対して折り返すことにより、形成される。
【００２６】
バーナーユニット３００は、燃料流量コントロールユニット３１０と、燃料流量コントロールユニット３１０から上方に延びる中空の支柱３２０と、支柱３２０の上に配置されたバーナー部３３０と、燃料流量コントロールユニット３１０から上方に向かってバーナー部３３０に近接した位置まで延びている逆Ｕ字型ジェネレーター３４０と、バーナー部３３０の周囲を囲む外輪３５０と、バーナー部３３０を中心としてバーナー部３３０の周囲に配置されている複数個の五徳３６０と、から構成されている。
【００２７】
逆Ｕ字型ジェネレーター３４０はその一端において燃料カートリッジ５００の燃料取り出し口５１０と燃料輸送パイプ５２０を介して接続されており、燃料カートリッジ５００内の燃料は燃料取り出し口５１０及び燃料輸送パイプ５２０を介して逆Ｕ字型ジェネレーター３４０に供給される。
【００２８】
逆Ｕ字型ジェネレーター３４０は金属製（例えば、銅製）の中空パイプからなり、全体として、逆Ｕ字型形状をなしている。
【００２９】
逆Ｕ字型ジェネレーター３４０の頂部付近はバーナー部３３０に接近して配置されており、逆Ｕ字型ジェネレーター３４０の内部を通過する燃料はバーナー部３３０から噴出される火炎により加熱され、気化する。
【００３０】
逆Ｕ字型ジェネレーター３４０の他端は燃料流量コントロールユニット３１０に接続されている。
【００３１】
バーナー部３３０から噴出される火炎により加熱され、気化した燃料ガスは燃料流量コントロールユニット３１０に導入される。
【００３２】
燃料流量コントロールユニット３１０には流量制御用ハンドル３１１が取り付けられており、この流量制御用ハンドル３１１を時計方向または反時計方向に回転させることにより、燃料流量コントロールユニット３１０の内部を通過する燃料の量を増減することができるようになっている。
【００３３】
燃料流量コントロールユニット３１０により流量が制御された燃料ガスは、燃料流量コントロールユニット３１０の上方に設けられている支柱３２０の内部を上昇する。
【００３４】
支柱３２０には空気取り入れ口３２１が設けられており、燃料ガスが支柱３２０の内部を上方に移動すると、支柱３２０の内部に負圧が生じ、この負圧の作用により、外部の空気が空気取り入れ口３２１から支柱３２０の内部に吸引される。支柱３２０の内部に吸引された空気は燃料ガスと混合し、燃料ガスと空気との混合気体となる。
【００３５】
バーナー部３３０は支柱３２０の上端上に取り付けられており、中空のチャンバーを形成しており、バーナー部３３０の側壁には多数の小孔が形成されている。
【００３６】
支柱３２０の内部を通過してきた混合気体はバーナー部３３０の内部のチャンバーに貯留され、その後、バーナー部３３０の側壁の小孔を介してバーナー部３３０の外部に放出される。
【００３７】
バーナー部３３０の外部に放出された混合気体は、ユーザーがマッチその他の着火手段により着火してもよく、あるいは、バーナー部３３０に近接してイグナイターを設けておき、混合気体に対して火花を飛ばして、着火させてもよい。
【００３８】
着火した混合気体は炎となって、五徳３６０の上に置かれている被加熱物（鍋や鉄板など）を加熱する。
【００３９】
各脚部４００は、棒状の脚部材４１０と、脚部材４１０をバーナーユニット３００に連結する連結部材４２０と、から構成されている。
【００４０】
連結部材４２０は板状の部材を折り曲げてつくられたものであり、脚部材４１０を支持するとともに、バーナーユニット３００をも脚部材４１０の上方に支持している。
【００４１】
脚部材４１０にはその長さ方向に複数の貫通孔４１１が形成されている。連結部材４２０の下端付近には貫通孔（図番なし）が形成されており、連結部材４２０の貫通孔と脚部材４１０の貫通孔４１１の何れかとを合わせた状態でピン４１２で連結することにより、脚部材４１１は連結部材４２０に対して支持される。
【００４２】
脚部材４１０の貫通孔４１１を任意に選択することにより、連結部材４２０に対する脚部材４１０の長さを変更することができる。
【００４３】
連結部材４２０の上端４２１は外輪３５０を突き抜けて形成されており、五徳３６０は連結部材４２０の上端４２１に鉛直面内において回動可能であるように取り付けられている。
【００４４】
本実施形態に係る携帯用コンロ装置１００は、燃料取り出し口５１０を下向きにした状態で燃料カートリッジ５００を支持する燃料カートリッジ支持構造を備えている。
【００４５】
燃料カートリッジ支持構造は、燃料流量コントロールユニット３１０の下方において各連結部材４２０の間に水平方向に支持された基板６１０と、基板６１０上に取り付けられ、水平面内において基板６１０に対して回動可能な可動レバー６２０と、４個の連結部材４２０のうちの２個の連結部材４２０に形成された係合部６３０と、から構成されている。
【００４６】
図２は可動レバー６２０の構造を示す正面図である。
【００４７】
可動レバー６２０はクランク形状をなしており、先端には、燃料カートリッジ５００の突出部５０１に係合し、突出部５０１の落下を防止する可動係合部６２１が形成されている。
【００４８】
可動レバー６２０は、その基端において、ピン６２２を介して基板６１０に対して回動可能であるように基板６１０に取り付けられている。
【００４９】
さらに、ピン６２２にはねじりバネ６２３が装着されており、このねじりバネ６２３によって、可動レバー６２０は常に第一位置（後述）の方向に付勢されている。
【００５０】
図３は、可動レバー６２０を上方から見た場合の可動レバー６２０と燃料カートリッジ５００との位置関係を示す平面図である。
【００５１】
図３に示すように、可動レバー６２０は、第一位置Ａと第二位置Ｂとの間を基板６１０に対して回動可能である。なお、前述のように、可動レバー６２０はねじりバネ６２３によって常に第一位置Ａに位置するように付勢されている。
【００５２】
図４は、第一位置Ａにある可動レバー６２０を示す側面図である。
【００５３】
図４に示すように、可動レバー６２０が第一位置Ａに位置している場合には、可動レバー６２０の先端の可動係合部６２１が燃料カートリッジ５００の突出部５０１に下方から係合し、燃料カートリッジ５００の落下を防止している。
【００５４】
図５は、第二位置Ｂにある可動レバー６２０を示す側面図である。
【００５５】
図５に示すように、可動レバー６２０が第二位置Ｂに位置している場合には、可動レバー６２０の先端の可動係合部６２１は燃料カートリッジ５００の突出部５０１からは離れており、突出部５０１には係合していない。
【００５６】
このように、可動レバー６２０が、第一位置Ａにおいては先端の可動係合部６２１が燃料カートリッジ５００の突出部５０１に係合し、第二位置Ｂにおいては先端の可動係合部６２１が燃料カートリッジ５００の突出部５０１に係合しないのは、図３に示すように、可動レバー６２０の回動中心６２４と燃料カートリッジ５００の軸心５０２とが一致しておらず、相互に偏心しているためである。
【００５７】
燃料カートリッジ支持構造を形成する係合部６３０は、４個の連結部材４２０のうちの２個の連結部材４２０、具体的には、可動レバー６２０を間に挟む２個の連結部材４２０以外の２個の連結部材４２０に形成されている。
【００５８】
図３を参照すると、可動レバー６２０が２個の連結部材４２０Ａ、４２０Ｂの間に位置するように配置されているとすると、係合部６３０は他の２個の連結部材４２０Ｃ、４２０Ｄに形成されている。
【００５９】
図６は、連結部材４２０Ｃ、４２０Ｄに形成された係合部６３０を示す正面図である。
【００６０】
図６に示すように、連結部材４２０Ｃ、４２０Ｄの各々には燃料カートリッジ５００の突出部５０１に下方から係合する鋭角状の角部が形成されており、この鋭角状の角部が係合部６３０を形成している。
【００６１】
すなわち、係合部６３０は、可動レバー６２０の先端に形成されている可動係合部６２１と同様の機能を奏するものである。
【００６２】
図３に示したように、可動レバー６２０は、携帯用コンロ装置１００の中心軸（燃料カートリッジ５００の中心軸５０２と同一の軸）に関して、係合部６３０が形成されている２個の４２０Ｃ、４２０Ｄと反対側に位置している。すなわち、可動レバー６２０の可動係合部６２１は、携帯用コンロ装置１００の中心に関して、２個の係合部６３０と反対側に位置している。このため、燃料カートリッジ５００は、その突出部５０１が可動レバー６２０の可動係合部５２１と２個の係合部６３０とにより３点支持されることになり、図１に示したように、バーナーユニット３００の下方のスペースに支持できるようになっている。
【００６３】
以上のような構造を有する本実施形態に係る携帯用コンロ装置１００における燃料カートリッジ５００の支持構造について説明する。
【００６４】
まず、燃料カートリッジ５００を携帯用コンロ装置１００に取り付ける場合には、可動レバー６２０をその第二位置Ｂ（図５に示す位置）に回動させ、可動レバー６２０を第二位置Ｂに停止させておく。
【００６５】
次いで、下向きにした燃料カートリッジ５００の突出部５０１を２個の連結部材４２０Ｃ、４２０Ｄに形成されている係合部６３０に係合させる。
【００６６】
燃料カートリッジ５００を手で押さえて突出部５０１を係合部６３０に係合させた状態のまま、可動レバー６２０を第二位置Ｂから第一位置Ａ（図４に示す位置）に回動させる。
【００６７】
これにより、燃料カートリッジ５００は、その突出部５０１において、可動レバー６２０の可動係合部６２１と２個の連結部材４２０Ｃ、４２０Ｄの各係合部６３０とにより３点支持されることになり、図１に示すように、バーナーユニット３００の下方のスペースに支持される。
【００６８】
燃料カートリッジ５００を取り外す場合には、燃料カートリッジ５００を手で押さえておいて、可動レバー６２０を第一位置Ａ（図４に示す位置）から第二位置Ｂ（図５に示す位置）に回動させる。
【００６９】
これにより、燃料カートリッジ５００は、可動レバー６２０による支持が解除され、２個の連結部材４２０Ｃ、４２０Ｄの各係合部６３０によってのみ支持されることになるため、取り外すことが可能になる。
【００７０】
以上のように、本実施形態に係る携帯用コンロ装置１００によれば、バーナーユニット３００の下方のスペースに燃料カートリッジ５００を配置する形式の携帯用コンロ装置において、燃料カートリッジ５００の燃料取り出し口５１０を下向きにした状態で燃料カートリッジ５００を支持することが可能である。
【００７１】
さらに、燃料カートリッジ５００の取り付け及び取り外しは可動レバー６２０を回動させることによってのみ行うことができるため、容易に燃料カートリッジ５００を新しい燃料カートリッジ５００に交換することができる。
【００７２】
なお、本実施形態に係る携帯用コンロ装置１００は上記の構造に限定されるものではなく、種々の改変が可能である。
【００７３】
例えば、本実施形態に係る携帯用コンロ装置１００は４個の脚部４００を有するものとして構成されているが、脚部４００の数は４には限定されない。３以上の数であれば、任意の数を選択することが可能である。例えば、脚部４００の数を３とする場合には、各脚部４００の間隔を１２０度の円周角とすればよい。
【００７４】
さらに、可動レバー６２０を第一位置Ａに付勢するねじりバネ６２３は、必要に応じて、省略可能である。ねじりバネ６２３を用いない場合には、可動レバー６２０の第二位置Ｂから第一位置Ａへの回動は手動で行う。
【００７５】
（第二の実施形態）
本発明に係る第二の実施形態に係る携帯用コンロ装置２００は、第一の実施形態に係る携帯用コンロ装置１００と比較して、可動レバーの構造が異なっている。可動レバーの構造が異なっている点を除いて、本発明に係る第二の実施形態に係る携帯用コンロ装置２００は第一の実施形態に係る携帯用コンロ装置１００と同様の構造を有している。このため、同一の構成要素には同一の参照符号を用いる。
【００７６】
図７は、本実施形態に係る携帯用コンロ装置２００における可動レバー２１０を示す正面図であり、図８は可動レバー２１０の背面図（図７のＣ方向から見た図）である。
【００７７】
第一の実施形態に係る携帯用コンロ装置１００における可動レバー６２０は水平面内において回動可能に形成されているのに対して、本実施形態に係る携帯用コンロ装置２００における可動レバー２１０は鉛直面内において回動可能であるように構成されている。
【００７８】
図８に示すように、基板６１０にはＬ字型の取り付け部材２１１が固定的に取り付けられており、取り付け部材２１１には、水平方向に延びる回動軸２１２が取り付け部材２１１に対して回転可能であるように、取り付けられている。
【００７９】
可動レバー２１０は回動軸２１２に固定的に取り付けられており、回動軸２１２とともに、取り付け部材２１１に対して、ひいては、基板６０１に対して回動する。
【００８０】
回動軸２１２にはねじりバネ２１３が装填されており、一端は可動レバー２１０に固定され、他端は基板６１０に接している。後述するように、ねじりバネ２１３は可動レバー２１０を常に第一位置Ａ（後述）の方向に付勢する。
【００８１】
可動レバー２１０の先端には、第一の実施形態における可動レバー６２０と同様に、燃料カートリッジ５００の突出部５０１に係合し、突出部５０１の落下を防止する可動係合部２１４が形成されている。
【００８２】
図７に示すように、可動レバー２１０は第一位置Ａ（実線で示す位置）と第二位置Ｂ（破線で示す位置）との間を鉛直面内において回動可能である。前述のように、可動レバー２１０はねじりバネ２１３によって常に第一位置Ａに位置するように付勢されている。
【００８３】
図７に示すように、可動レバー２１０が第一位置Ａに位置している場合には、可動レバー２１０の先端の可動係合部２１４が燃料カートリッジ５００の突出部５０１に下方から係合し、燃料カートリッジ５００の落下を防止している。
【００８４】
また、可動レバー２１０が第二位置Ｂに位置している場合には、可動レバー２１０の先端の可動係合部２１４は燃料カートリッジ５００の突出部５０１からは離れており、突出部５０１には係合していない。
【００８５】
本実施形態における可動レバー２１０は第一の実施形態における可動レバー６２０と同様に機能する。このため、本実施形態に係る携帯用コンロ装置２００も第一の実施形態に係る携帯用コンロ装置１００と同様の効果を奏する。
【００８６】
（第三の実施形態）
図９は、本発明の第三の実施形態に係る携帯用コンロ装置８００の概略図である。
【００８７】
本実施形態に係る携帯用コンロ装置８００においては、上記の第一及び第二の実施形態において連結部材４２０Ｃ、４２０Ｄに形成された係合部６３０に代えて、１個の係合部材７００が設けられている。
【００８８】
図９に示すように、係合部材７００は縦断面がＵ字型形状をなしており、燃料カートリッジ５００の突出部５０１をその内部において支持することができるようになっている。さらに、係合部材７００は横断面が円弧形状をなしており、燃料カートリッジ５００の突出部５０１の長さ方向（燃料カートリッジ５００の円周方向）において突出部５０１の一部を支持することができるようになっている。
【００８９】
係合部材７００は相互に隣接する二つの連結部材４２０Ｃ、４２０Ｄに渡って延びており、二つの連結部材４２０Ｃ、４２０Ｄに対して固定されている。
【００９０】
本実施形態に係る携帯用コンロ装置８００の中心５０２（（図３参照）に関して、二つの連結部材４２０Ｃ、４２０Ｄとは反対側には、第一の実施形態において示した可動レバー６２０が配置されている。
【００９１】
本実施形態に係る携帯用コンロ装置８００によれば、係合部材７００が、第一の実施形態における二つの連結部材４２０Ｃ、４２０Ｄに形成された係合部６３０と同様の機能を奏するため、本実施形態に係る携帯用コンロ装置８００は第一の実施形態に係る携帯用コンロ装置１００と同様の効果を奏する。
【００９２】
なお、本実施形態に係る携帯用コンロ装置８００は第一の実施形態において示した可動レバー６２０を有するものとして構成されているが、第一の実施形態における可動レバー６２０に代えて、第二の実施形態において示した可動レバー２１０を有するものとして構成することも可能である。
【図面の簡単な説明】
【００９３】
【図１】本発明の第一の実施形態に係る携帯用コンロ装置の一部破断図を含む斜視図である。
【図２】本発明の第一の実施形態に係る携帯用コンロ装置における可動レバーの構造を示す正面図である。
【図３】本発明の第一の実施形態に係る携帯用コンロ装置における可動レバーを上方から見た場合の可動レバーと燃料カートリッジとの位置関係を示す平面図である。
【図４】本発明の第一の実施形態に係る携帯用コンロ装置において、第一位置にある可動レバーを示す側面図である。
【図５】本発明の第一の実施形態に係る携帯用コンロ装置において、第二位置にある可動レバーを示す側面図である。
【図６】本発明の第一の実施形態に係る携帯用コンロ装置において、連結部材に形成された係合部を示す正面図である。
【図７】本発明の第二の実施形態に係る携帯用コンロ装置における可動レバーを示す正面図である。
【図８】本発明の第二の実施形態に係る携帯用コンロ装置における可動レバーの背面図（図７のＣ方向から見た図）である。
【図９】本発明の第三の実施形態に係る携帯用コンロ装置の概略図である。
【符号の説明】
【００９４】
１００  本発明の第一の実施形態に係る携帯用コンロ装置
２００  本発明の第二の実施形態に係る携帯用コンロ装置
２１０  可動レバー
２１１  取り付け部材
２１２  回動軸
２１３  ねじりバネ
２１４  可動係合部
３００  バーナーユニット
３１０  燃料流量コントロールユニット
３２０  支柱
３３０  バーナー部
３４０  逆Ｕ字型ジェネレーター
３５０  外輪
３６０  五徳
４００  脚部
４１０  脚部材
４２０  連結部材
５００  燃料カートリッジ
５０１  突出部
５０２  燃料カートリッジの中心軸
５１０  燃料取り出し口
５２０  燃料輸送パイプ
６１０  基板
６２０  可動レバー
６２１  可動係合部
６２２  ピン
６２３  ねじりバネ
６２４  回動中心
６３０  係合部
７００  係合部材
８００  本発明の第三の実施形態に係る携帯用コンロ装置
【図１】
2008209050.tif 000003
【図２】
2008209050.tif 000004
【図３】
2008209050.tif 000005
【図４】
2008209050.tif 000006
【図５】
2008209050.tif 000007
【図６】
2008209050.tif 000008
【図７】
2008209050.tif 000009
【図８】
2008209050.tif 000010
【図９】
2008209050.tif 000011